(57)【特許請求の範囲】
【請求項１】
室内を空調する第１の空調部と、前記室内の室温を検知する第１の温度検知部と、前記第１の温度検知部が検知する検知温度に基づき前記第１の空調部を制御する第１の空調手段用制御部と、を備える空調システムに備えられる空調システム用制御装置であって、
前記第１の空調手段用制御部から前記第１の空調部へのＯＮ信号及びＯＦＦ信号を読み取る信号読み取り手段と、
前記信号読み取り手段が前記ＯＮ信号及び前記ＯＦＦ信号を読み取ったときに、前記空調システムに備えられて前記室内の室温を検知する第２の温度検知部から検知温度を取得する温度取得手段と、
前記温度取得手段が取得した前記検知温度に基づいて、前記空調システムに備えられて前記室内を空調する第２の空調部を制御する制御手段と、
を備えることを特徴とする空調システム用制御装置。
【請求項２】
前記第２の温度検知部は、前記第１の温度検知部の近傍に配置されていることを特徴とする請求項１記載の空調システム用制御装置。
【請求項３】
前記第１の空調部及び前記第２の空調部は、前記室内を暖房し、
前記制御手段は、前記信号読み取り手段が前記ＯＮ信号を読み取ったときの前記第２の温度検知部が検知する前記検知温度を運転開始温度として設定されるとともに、前記信号読み取り手段が前記ＯＦＦ信号を読み取ったときの前記第２の温度検知部が検知する前記検知温度を運転停止温度として設定され、
前記制御手段は、前記運転開始温度及び前記運転停止温度に基づいて、前記運転開始温度よりも低温のモード切替下部温度と、前記運転停止温度よりも高温のモード切替上部温度とを算出し、
前記制御手段は、前記第２の温度検知部が検知する前記検知温度が前記モード切替下部温度に達した場合にＨｉモードに設定され、前記第１の空調部及び前記第２の空調部のうち運転していない空調部の運転を開始させ、その後、前記検知温度が前記運転開始温度から前記運転停止温度に達した場合に前記第１の空調部の運転を停止させるとともに、前記検知温度が前記運転停止温度から前記運転開始温度に達した場合に前記第１の空調部の運転を開始させ、
前記制御手段は、前記第２の温度検知部が検知する前記検知温度が前記モード切替上部温度に達した場合にＬｏモードに設定され、前記第１の空調部及び前記第２の空調部のうち運転している空調部の運転を停止させ、その後、前記検知温度が前記運転停止温度から前記運転開始温度に達した場合に前記第２の空調部の運転を開始させるとともに、前記検知温度が前記運転開始温度から前記運転停止温度に達した場合に前記第２の空調部の運転を停止させる、
ことを特徴とする請求項１又は２記載の空調システム用制御装置。
【請求項４】
前記制御手段は、前記第２の温度検知部が検知する前記検知温度が前記運転開始温度から前記運転停止温度以上に達した後、前記信号読み取り手段が前記第１の空調手段用制御部から前記第１の空調部へのＯＦＦ信号を所定時間読み取れない場合、前記Ｈｉモードに設定され、
前記制御手段は、前記第２の温度検知部が検知する前記検知温度が前記運転停止温度から前記運転開始温度以下に達した後、前記信号読み取り手段が前記第１の空調手段用制御部から前記第１の空調部へのＯＮ信号を所定時間読み取れない場合、前記Ｌｏモードに設定される、
ことを特徴とする請求項３記載の空調システム用制御装置。
【請求項５】
前記制御手段は、前記信号読み取り手段が前記第１の空調手段用制御部から前記第１の空調部へのＯＦＦ信号を所定時間読み取り続けた場合、前記Ｌｏモードに設定され、
前記制御手段は、前記信号読み取り手段が前記第１の空調手段用制御部から前記第１の空調部へのＯＮ信号を所定時間読み取り続けた場合、前記Ｈｉモードに設定される、
ことを特徴とする請求項３記載の空調システム用制御装置。
【請求項６】
前記第１の空調部は、燃焼式暖房機であり、
前記第２の空調部は、ヒートポンプ式暖房機である、
ことを特徴とする請求項１から５のいずれか１項記載の空調システム用制御装置。
【請求項７】
請求項１から６のいずれか１項記載の空調システム用制御装置と、
前記第１の空調部と、
前記第２の空調部と、
前記第１の温度検知部と、
前記第２の温度検知部と、
前記第１の空調手段用制御部と、
を備えることを特徴とする空調システム。
【発明の詳細な説明】
【技術分野】
【０００１】
本発明は、複数の空調部を備える空調システムに備えられる空調システム用制御装置、及び、空調システムに関する。
【背景技術】
【０００２】
従来、ガラス温室、ビニルハウス温室等において、所望の環境で農作物等の植物が栽培されている。温室で植物を栽培する場合、栽培する植物に適した温度条件が必要となる。例えば、温室を暖房する場合には、ヒートポンプ、燃焼式暖房機、これらの組み合わせ等が用いられている。なお、ヒートポンプ及び燃焼式暖房機を同時に制御するハイブリッド制御装置が提案されている（例えば、特許文献１〜３参照）。
【先行技術文献】
【特許文献】
【０００３】
【特許文献１】特許第４７１３５４６号公報
【特許文献２】特開昭６２−１１１６１７号公報
【特許文献３】特開昭５５−７５１５０号公報
【発明の概要】
【発明が解決しようとする課題】
【０００４】
ところで、例えば、大熱量暖房機である燃焼式暖房機のみが温室に配置されている場合に、ランニングコストが安価な小熱量暖房機であるヒートポンプ式暖房機を追加で配置する場合に、これらを同時に制御するハイブリッド制御装置を配置すると、既存の燃焼式暖房機用制御部が無駄になるとともに、ハイブリッド制御装置は複雑な制御を行うため、設置コストがかかる。
【０００５】
一方、ヒートポンプ式暖房機を追加で配置する場合に燃焼式暖房機用制御部とは独立したヒートポンプ式暖房機用制御部も追加で配置すると、それぞれ独立した制御しか行うことができない。そのため、運転開始温度及び運転停止温度の両方がそれぞれに存在することになるが、これらの温度が一定となるため、温室の温度状況によらず一定の制御しか行うことができない。
【０００６】
上述の問題点については、暖房機のみならず冷房機や循環扇等の他の空調部においても同様に生じるものである。
本発明の目的は、既存の空調部とは別の空調部を追加配置する場合に、簡易な装置構成で室温調整が有効に行われる空調システム用制御装置及び空調システムを提供することである。
【課題を解決するための手段】
【０００７】
１つの態様では、空調システム用制御装置は、
室内を空調する第１の空調部と、前記室内の室温を検知する第１の温度検知部と、前記第１の温度検知部が検知する検知温度に基づき前記第１の空調部を制御する第１の空調手段用制御部と、を備える空調システムに備えられる空調システム用制御装置であって、
前記第１の空調手段用制御部から前記第１の空調部へのＯＮ信号及びＯＦＦ信号を読み取る信号読み取り手段と、
前記信号読み取り手段が前記ＯＮ信号及び前記ＯＦＦ信号を読み取ったときに、前記空調システムに備えられて前記室内の室温を検知する第２の温度検知部から検知温度を取得する温度取得手段と、
前記温度取得手段が取得した前記検知温度に基づいて、前記空調システムに備えられて前記室内を空調する第２の空調部を制御する制御手段と、
を備える。
【０００８】
他の１つの態様では、空調システムは、
前記空調システム用制御装置と、
前記第１の空調部と、
前記第２の空調部と、
前記第１の温度検知部と、
前記第２の温度検知部と、
前記第１の空調手段用制御部と、
を備える。
【発明の効果】
【０００９】
前記態様によれば、既存の空調部とは別の空調部を追加配置する場合に、簡易な装置構成で室温調整が有効に行われる。
【図面の簡単な説明】
【００１０】
【図１】本発明の一実施の形態に係る空調システムを示すブロック図である。
【図２】本発明の一実施の形態における空調システム用制御部の内部構造の一部を示す回路図である。
【図３】本発明の一実施の形態におけるサーモスタット（第１の空調手段用制御部の一例）の動作を説明するためのフローチャートである。
【図４Ａ】本発明の一実施の形態に係る空調システム用制御装置の動作を説明するためのフローチャート（その１）である。
【図４Ｂ】本発明の一実施の形態に係る空調システム用制御装置の動作を説明するためのフローチャート（その２）である。
【図４Ｃ】本発明の一実施の形態に係る空調システム用制御装置の動作を説明するためのフローチャート（その３）である。
【図５】本発明の一実施の形態における室温変化に応じた制御を説明するための説明図（その１）である。
【図６】本発明の一実施の形態における室温変化に応じた制御を説明するための説明図（その２）である。
【図７】本発明の一実施の形態における室温変化に応じた制御を説明するための説明図（その３）である。
【図８】本発明の一実施の形態における室温変化に応じた制御を説明するための説明図（その４）である。
【発明を実施するための形態】
【００１１】
本発明の一実施の形態に係る空調システム用制御装置及び空調システムについて、図面を参照しながら説明する。
図１は、一実施の形態に係る空調システム１を示すブロック図である。
【００１２】
図１に示す空調システム１は、第１の空調部の一例である例えば油焚きの燃焼式暖房機（図面において「ＨＫ」とも記す。）２と、第２の空調部の一例であるヒートポンプ式暖房機（図面において「ＨＰ」とも記す）３と、第１の空調手段用制御部の一例であるサーモスタット（図面において「外部サーモ」とも記す。）４と、第１の温度検知部及び第２の温度検知部の一例であるサーミスタ５，６と、空調システム用制御装置（以下単に「制御装置」と記す。）１０と、を備える。
【００１３】
燃焼式暖房機２及びヒートポンプ式暖房機３は、例えば、ガラス温室、ビニルハウス温室等の室内を暖房する。
ヒートポンプ式暖房機３は、外気を熱源として利用するため、外気温が低下すると能力が低下する。また、ヒートポンプ式暖房機３は、燃焼式暖房機２よりも初期費用が高い半面、同一熱出力を得るのに、燃焼式暖房機２よりも運転費用を節減することができる。そのため、本実施の形態では、燃焼式暖房機２とヒートポンプ式暖房機３とを併用している。
【００１４】
詳しくは後述するが、本実施の形態では、燃焼式暖房機２及びヒートポンプ式暖房機３のうち優先的に運転を開始するのをヒートポンプ式暖房機３としている。
サーモスタット４は、サーミスタ５が検知する室内の検知温度が、所定の設定温度とディファレンシャル温度（ＤＩＦＦ）とを足した温度に達すると燃焼式暖房機２をＯＦＦし、所定の設定温度からディファレンシャル温度（ＤＩＦＦ）を引いた温度に達すると燃焼式暖房機２をＯＮするように、燃焼式暖房機２を制御する。なお、設定温度に足されるディファレンシャル温度と、設定温度から引かれるディファレンシャル温度とは、同一であってもよいが、本実施の形態では互いに異なる例について後述する。
【００１５】
ヒートポンプ式暖房機３、制御装置１０、及びサーミスタ６は、既存の燃焼式暖房機２、サーモスタット４、及びサーミスタ５に対し追加的に配置される。サーモスタット４は、サーミスタ５が検知する室内の検知温度に基づき、燃焼式暖房機２を制御する。なお、サーミスタ５，６は、互いに同一の室内の室温を検知する。また、サーミスタ６は、サーミスタ５の近傍（例えば、数メートル以内、好ましくは１メートル以内）に配置されることが望ましい。
【００１６】
制御装置１０は、信号読み取り手段１１と、温度取得手段１２と、制御手段１３と、を備える。
信号読み取り手段１１は、サーモスタット４から燃焼式暖房機２へのＯＮ信号及びＯＦＦ信号を例えば電流値から読み取る。
【００１７】
温度取得手段１２は、サーモスタット４から燃焼式暖房機２へのＯＮ信号及びＯＦＦ信号を信号読み取り手段１１が読み取ったときに、サーミスタ６から検知温度を取得する。つまり、サーミスタ６は、サーミスタ５の検知温度を推測するのに用いることができる。なお、サーモスタット４の設定温度は例えば時間ごとに変更されることがあるため、信号読み取り手段１１は、サーモスタット４から燃焼式暖房機２へのＯＮ信号及びＯＦＦ信号が切り替わる度に読み取ることが望ましい。
【００１８】
制御手段１３は、温度取得手段１２が取得したサーミスタ６の検知温度に基づいて、ヒートポンプ式暖房機３を制御する。
制御手段１３は、サーモスタット４から燃焼式暖房機２へのＯＦＦからＯＮへの信号の変化を信号読み取り手段１１が読み取ったときのサーミスタ６が検知する検知温度を運転開始温度（図５〜図８に示す外部サーモ設定温度−ＤＩＦＦ（−０．４℃））として設定される。
【００１９】
また、制御手段１３は、サーモスタット４から燃焼式暖房機２へのＯＮからＯＦＦへの信号の変化を信号読み取り手段１１が読み取ったときのサーミスタ６が検知する検知温度を運転停止温度（図５〜図８に示す外部サーモ設定温度＋ＤＩＦＦ（＋１．１℃））として設定される。
【００２０】
そして、制御手段１３は、運転開始温度及び運転停止温度、又はこれらから算出されるサーモスタット４の設定温度に基づいて、運転開始温度よりも低温のモード切替下部温度（外部サーモ設定温度−２．０℃）と、運転停止温度よりも高温のモード切替上部温度（外部サーモ設定温度＋３．０℃）とを算出する。
【００２１】
詳しくは後述するが、制御手段１３は、サーミスタ６が検知する検知温度がモード切替下部温度に達した場合にＨｉモードに設定され、燃焼式暖房機２及びヒートポンプ式暖房機３のうち運転していない空調部の運転を開始させる（例えば図５のｔ１−５）。
【００２２】
このＨｉモードでは、制御手段１３は、サーミスタ６が検知する検知温度が運転開始温度から運転停止温度に達した場合（例えば図５のｔ１−６）に燃焼式暖房機２の運転を停止させるとともに、検知温度が運転停止温度から運転開始温度に達した場合（例えば図５のｔ１−７）に燃焼式暖房機２の運転を開始させる。
【００２３】
また、制御手段１３は、サーミスタ６が検知する検知温度がモード切替上部温度に達した場合にＬｏモードに設定され、燃焼式暖房機２及びヒートポンプ式暖房機３のうち運転している空調部の運転を停止させる（例えば図５のｔ１−９）。
【００２４】
このＬｏモードでは、制御手段１３は、サーミスタ６が検知する検知温度が運転停止温度から運転開始温度に達した場合（例えば図５のｔ１−１０，ｔ１−１２）にヒートポンプ式暖房機３の運転を開始させるとともに、検知温度が運転開始温度から運転停止温度に達した場合（ｔ１−１１，ｔ１−１３）にヒートポンプ式暖房機３の運転を停止させる。
【００２５】
図５に示すように、Ｌｏモードでは、制御手段１３は、サーミスタ６が検知する検知温度が運転停止温度に達すると（ｔ１−１，ｔ１−３，ｔ１−１１，ｔ１−１３）、ヒートポンプ式暖房機３の運転を停止させる。また、制御手段１３は、サーミスタ６が検知する検知温度が運転開始温度に達すると（ｔ１−２，ｔ１−４，ｔ１−１０，ｔ１−１２）、ヒートポンプ式暖房機３の運転を開始させる。このように、本実施の形態では、燃焼式暖房機２へのＯＮ・ＯＦＦ制御も、サーモスタット４が行うのではなく、制御装置１０が行う。
【００２６】
図２に示すように、制御装置１０は、プロセッサ１０ａと、ディップスイッチ１０ｂと、抵抗１０ｃとを有する。
プロセッサ１０ａは、信号読み取り手段１１、温度取得手段１２、及び制御手段１３として機能することができる。ディップスイッチ１０ｂは、例えば４つのスイッチからなり、例えば、いずれかのスイッチがＯＮであるかＯＦＦであるかによって、上述の運転開始温度（外部サーモ設定温度−ＤＩＦＦ（−０．４℃））や運転停止温度（外部サーモ設定温度＋ＤＩＦＦ（＋１．１℃））のＤＩＦＦ温度の数値が決定される。或いは、ディップスイッチ１０ｂは、後述するモード切替タイマーの時間設定の数値を決定するのに用いられる。
【００２７】
以下、本実施の形態におけるサーモスタット４及び制御装置１０の動作を説明する。
図３に示すように、サーモスタット４は、サーミスタ５が検知する検知温度が運転停止温度以上になると（ステップＳ１がＹＥＳ）、燃焼式暖房機２をＯＦＦにする信号を送出する（ステップＳ２）。
【００２８】
また、サーモスタット４は、サーミスタ５が検知する検知温度が運転開始温度以下になると（ステップＳ１がＮＯ，ステップＳ３がＹＥＳ）、燃焼式暖房機２をＯＮにする信号を送出する（ステップＳ４）。
【００２９】
図４Ａに示すように、制御装置１０では、信号読み取り手段１１がサーモスタット４から燃焼式暖房機２への信号がＯＦＦからＯＮになったり（ステップＳ５がＹＥＳ，図６のｔ２−２）、ＯＮからＯＦＦになったりすると（ステップＳ６がＹＥＳ，図６のｔ２−３）、制御手段１３は、運転停止温度及び運転開始温度を設定されるとともに、モード切替上部温度及びモード切替下部温度を算出する（ステップＳ７）。
【００３０】
そして、サーモスタット４が燃焼式暖房機２をＯＦＦにする信号を送出していると（ステップＳ８がＮＯ）、制御手段１３は、図４Ｂに示すように、図示しないモード切替タイマー１，２をリセットする（ステップＳ９）。
【００３１】
その後、制御手段１３が上述のＨｉモードに設定されていないときには（ステップＳ１０がＮＯ）、運転停止温度になると全暖房機（燃焼式暖房機２及びヒートポンプ式暖房機３）の運転を停止させる（ステップＳ１１，図６のｔ２−１，ｔ２−３，ｔ２−１１，ｔ２−１３）。
【００３２】
一方、制御手段１３が上述のＨｉモードに設定されているときには（ステップＳ１０がＹＥＳ）、燃焼式暖房機２の運転を停止し、ヒートポンプ式暖房機３を運転させる（ステップＳ１２，図６のｔ２−６，ｔ２−８）。そして、図示しないモード切替タイマー３のカウントを開始させる（ステップＳ１３）。
【００３３】
その後、制御手段１３は、サーミスタ６が検知する検知温度がモード切替上部温度以上に変化すると（ステップＳ１４がＹＥＳ，図６のｔ２−９）、Ｌｏモードに設定される（ステップＳ２０）。
【００３４】
一方、制御手段１３は、サーミスタ６が検知する検知温度がモード切替上部温度以上に変化しないと（ステップＳ１４がＮＯ）、サーミスタ６が検知する検知温度が運転開始温度以下に変化するか判定する（ステップＳ１５）。
【００３５】
制御手段１３は、サーミスタ６が検知する検知温度が運転開始温度以下であると、図示しないモード切替タイマー４のカウントを開始させ（ステップＳ１６）、検知温度が運転開始温度以下でなければモード切替タイマー４をリセットする（ステップＳ１７）。
【００３６】
ところで、サーモスタット４の設定温度は、例えば時間帯ごとに変化する。例えば、図７に示すｔ３−５からｔ３−１０ではサーモスタット４の設定温度が下がり、図８に示すｔ４−５からｔ４−１１ではサーモスタット４の設定温度が上がる。
【００３７】
制御手段１３は、信号読み取り手段１１がサーモスタット４から燃焼式暖房機２へのＯＦＦ信号を所定時間（例えば２０分）読み取り続けた場合（ステップＳ１８がＹＥＳ，図７のｔ３−６）、Ｌｏモードに設定され（ステップＳ２０）、ヒートポンプ式暖房機３の運転を停止させる。
【００３８】
また、制御手段１３は、サーミスタ６が検知する検知温度が運転開始温度から運転停止温度以上に達した後、信号読み取り手段１１がサーモスタット４から燃焼式暖房機２へのＯＦＦ信号を所定時間（例えば５分）読み取れない場合（ステップＳ１９がＹＥＳ，図８のｔ４−１３）も、Ｌｏモードに設定され（ステップＳ２０）、ヒートポンプ式暖房機３の運転を停止させる。
【００３９】
図４Ａに示す、サーモスタット４が燃焼式暖房機２をＯＮにする信号を送出しているかの判断（ステップＳ８）に戻り、サーモスタット４が燃焼式暖房機２をＯＮにする信号を送出していると（ステップＳ８がＹＥＳ）、制御手段１３は、図４Ｃに示すように、図示しないモード切替タイマー３，４をリセットする（ステップＳ２１）。
【００４０】
その後、制御手段１３が上述のＬｏモードに設定されていないときには（ステップＳ２２がＮＯ）、運転開始温度になると全暖房機（燃焼式暖房機２及びヒートポンプ式暖房機３）の運転を開始させる（ステップＳ２３，図６のｔ２−７）。
【００４１】
一方、制御手段１３が上述のＬｏモードに設定されているときには（ステップＳ２２がＹＥＳ）、運転開始温度になると燃焼式暖房機２の運転は停止したまま、ヒートポンプ式暖房機３を運転させる（ステップＳ２４，図６のｔ２−２，ｔ２−４，ｔ２−１０，ｔ２−１２）。そして、図示しないモード切替タイマー１のカウントを開始させる。
【００４２】
その後、制御手段１３は、サーミスタ６が検知する検知温度がモード切替下部温度以下に変化すると（ステップＳ２６がＹＥＳ，図６のｔ２−５）、Ｈｉモードに設定される（ステップＳ３２）。
【００４３】
一方、制御手段１３は、サーミスタ６が検知する検知温度がモード切替下部温度以下に変化しないと（ステップＳ２６がＮＯ）、サーミスタ６が検知する検知温度が運転停止温度以上に変化するか判定する（ステップＳ２７）。
【００４４】
制御手段１３は、サーミスタ６が検知する検知温度が運転停止温度以上であると、図示しないモード切替タイマー２のカウントを開始させ（ステップＳ２８）、検知温度が運転停止温度以上でなければモード切替タイマー２をリセットする（ステップＳ２９）。
【００４５】
上述のように、サーモスタット４の設定温度は、例えば時間帯ごとに変化するため、制御手段１３は、信号読み取り手段１１がサーモスタット４から燃焼式暖房機２へのＯＮ信号を所定時間（例えば２０分）読み取り続けた場合（ステップＳ３０がＹＥＳ，図８のｔ４−６）、Ｈｉモードに設定され（ステップＳ３２）、燃焼式暖房機２の運転を開始させる。
【００４６】
また、制御手段１３は、サーミスタ６が検知する検知温度が運転開始温度から運転停止温度以上に達した後、信号読み取り手段１１がサーモスタット４から燃焼式暖房機２へのＯＦＦ信号を所定時間（例えば５分）読み取れない場合（ステップＳ３１がＹＥＳ，図７のｔ３−１１）も、Ｈｉモードに設定され（ステップＳ３２）、燃焼式暖房機２の運転を開始させる。
【００４７】
なお、本実施の形態では、第１の空調部の一例として燃焼式暖房機２を用い、第２の空調部の一例としてヒートポンプ式暖房機３を用いる例について説明したが、これらはあくまで一例であり、例えば、第２の空調部としてバイオマス燃料暖房機などの他の暖房機を用いてもよい。また、空調部としては、冷房機（例えば、２つのヒートポンプ式冷房機）や循環扇（例えば、２つの循環扇）等の他の空調部を用いてもよい。また、第１の空調部として冷房機を用い、第２の空調部として循環扇を用いてもよい。空調部として冷房機や循環扇を用いる場合には、検知温度が高温になると運転開始となり、検知温度が低温になると運転停止となるため、暖房機の場合の運転開始温度、運転停止温度等が反対となる。更には、第１の空調部又は第２の空調部として複数の空調部を用いてもよい。
【００４８】
以上説明した本実施の形態では、制御装置１０は、空調システム１に備えられる。また、空調システム１は、室内を空調する燃焼式暖房機２と、室内の室温を検知するサーミスタ５と、このサーミスタ５が検知する検知温度に基づき燃焼式暖房機２を制御するサーモスタット４と、を備える。また、制御装置１０は、信号読み取り手段１１と、温度取得手段１２と、制御手段１３と、を備える。信号読み取り手段１１は、サーモスタット４から燃焼式暖房機２へのＯＮ信号及びＯＦＦ信号を読み取る。温度取得手段１２は、信号読み取り手段１１がＯＮ信号及びＯＦＦ信号を読み取ったときに、サーミスタ６から検知温度を取得する。制御手段１３は、温度取得手段１２が取得した検知温度に基づいて、ヒートポンプ式暖房機３を制御する。
【００４９】
そのため、燃焼式暖房機２、サーモスタット４、及びサーミスタ５が配置された空調システム１において、ヒートポンプ式暖房機３を追加する場合に、制御装置１０及びサーミスタ６を配置するという簡易な装置構成によって、燃焼式暖房機２とヒートポンプ式暖房機３とのハイブリッド制御を行うことができる。
【００５０】
よって、本実施の形態によれば、既存の第１の空調部（燃焼式暖房機２）とは別の第２の空調部（ヒートポンプ式暖房機３）を追加配置する場合に、簡易な装置構成で室温調整が有効に行われる。
【００５１】
また、本実施の形態では、温度取得手段１２（制御装置１０）により検知温度を取得されるサーミスタ６は、サーモスタット４により検知温度を取得されるサーミスタ５の近傍に配置されている。
【００５２】
そのため、信号読み取り手段１１及び温度取得手段１２は、サーモスタット４が燃焼式暖房機２を制御するときの設定温度を正確に取得することができる。したがって、より有効に室温調整が行われる。
【００５３】
また、本実施の形態では、燃焼式暖房機２を一例とする第１の空調部、及びヒートポンプ式暖房機３を一例とする第２の空調部は、室内を暖房する。そして、制御手段１３は、信号読み取り手段１１がＯＮ信号を読み取ったときのサーミスタ６が検知する検知温度を運転開始温度として設定されるとともに、信号読み取り手段１１がＯＦＦ信号を読み取ったときのサーミスタ６が検知する検知温度を運転停止温度として設定される。そして、制御手段１３は、運転開始温度及び運転停止温度に基づいて、運転開始温度よりも低温のモード切替下部温度と、運転停止温度よりも高温のモード切替上部温度とを算出する。更には、制御手段１３は、サーミスタ６が検知する検知温度がモード切替下部温度に達した場合にＨｉモードに設定され、燃焼式暖房機２及びヒートポンプ式暖房機３のうち運転していない空調部の運転を開始させ、その後、検知温度が運転開始温度から運転停止温度に達した場合に燃焼式暖房機２の運転を停止させるとともに、検知温度が運転停止温度から運転開始温度に達した場合に燃焼式暖房機２の運転を開始させる。また、制御手段１３は、サーミスタ６が検知する検知温度がモード切替上部温度に達した場合にＬｏモードに設定され、燃焼式暖房機２及びヒートポンプ式暖房機３のうち運転している空調部の運転を停止させ、その後、検知温度が運転停止温度から運転開始温度に達した場合にヒートポンプ式暖房機３の運転を開始させるとともに、検知温度が運転開始温度から運転停止温度に達した場合にヒートポンプ式暖房機３の運転を停止させる。
【００５４】
そのため、運転開始温度及び運転停止温度のそれぞれにおいて、モードに応じて運転させる空調部を可変にすることができる。したがって、より有効に室温調整が行われる。
また、本実施の形態では、制御手段１３は、サーミスタ６が検知する検知温度が運転開始温度から運転停止温度以上に達した後、信号読み取り手段１１がサーモスタット４から燃焼式暖房機２へのＯＦＦ信号を所定時間読み取れない場合、Ｈｉモードに設定される。また、制御手段１３は、サーミスタ６が検知する検知温度が運転停止温度から運転開始温度以下に達した後、信号読み取り手段１１がサーモスタット４から燃焼式暖房機２へのＯＮ信号を所定時間読み取れない場合、Ｌｏモードに設定される。
【００５５】
そのため、例えばサーモスタット４における室内の設定温度が変更になった場合においても、モード設定を適切に切り替えることができる。したがって、より一層有効に室温調整が行われる。
【００５６】
また、本実施の形態では、制御手段１３は、信号読み取り手段１１がサーモスタット４から燃焼式暖房機２へのＯＦＦ信号を所定時間読み取り続けた場合、Ｌｏモードに設定される。また、制御手段１３は、信号読み取り手段１１がサーモスタット４から燃焼式暖房機２へのＯＮ信号を所定時間読み取り続けた場合、Ｈｉモードに設定される。
【００５７】
そのため、例えば、空調部による空調の効きが良くない場合や、サーモスタット４における室内の設定温度が変更になった場合においても、モード設定を適切に切り替えることができる。したがって、より一層有効に室温調整が行われる。
【００５８】
また、本実施の形態では、既存の第１の空調部は、燃焼式暖房機２であり、追加配置される第２の空調部は、ヒートポンプ式暖房機３である。
そのため、大きな熱量を出力できる燃焼式暖房機２とランニングコストが安価なヒートポンプ式暖房機３とを併用することで、より有効に室温調整が行われる。
【符号の説明】
【００５９】
１      空調システム
２      燃焼式暖房機（ＨＫ）
３      ヒートポンプ式暖房機（ＨＰ）
４      サーモスタット（外部サーモ）
５，６      サーミスタ
１０      空調システム用制御装置
１０ａ      プロセッサ
１０ｂ      ディップスイッチ
１０ｃ      抵抗
１１      信号読み取り手段
１２      温度取得手段
１３      制御手段
【図１】
0006018115.tif 000002
【図２】
0006018115.tif 000003
【図３】
0006018115.tif 000004
【図４Ａ】
0006018115.tif 000005
【図４Ｂ】
0006018115.tif 000006
【図４Ｃ】
0006018115.tif 000007
【図５】
0006018115.tif 000008
【図６】
0006018115.tif 000009
【図７】
0006018115.tif 000010
【図８】
0006018115.tif 000011